(57)【特許請求の範囲】
【請求項１】
下部に発射装置を備える内枠と、
発射球貯留皿を前面に備え、内枠前面に片開き可能に枢支される前扉と、
内枠に配設されて、発射球貯留皿から流入する遊技球を発射装置へ順次送出するとともに、発射球貯留皿から流入する遊技球を機体前面側へ排出するための球抜口を備える球送装置と、
球送装置の球抜口を閉塞する遮蔽部を備えるとともに、前扉に設けられた球抜操作部材と連係し、球抜操作部材の操作に応じて遮蔽部が球抜口を開放する位置に変位する球抜部材と
を備えるパチンコ機であって、
球抜部材は、前扉に配設されて遮蔽部を前扉の背面側に露出させるものであり、
前扉の閉止状態では球抜部材の遮蔽部によって球抜口を閉塞可能となり、
前扉の開放状態では球抜部材の遮蔽部が球送装置から離間して球抜口が開放されることを特徴とするパチンコ機。
【請求項２】
球抜部材は、前扉の幅方向に移動可能に保持されており、付勢手段によって遮蔽部が球抜口を閉塞する位置に付勢され、球抜操作部材の操作時には付勢手段の付勢力に抗して遮蔽部が球抜口を開放する位置へ移動するものであることを特徴とする請求項１記載のパチンコ機。
【請求項３】
球抜操作部材と球抜部材は、球抜操作部材の操作に応じて球抜部材を移動させる電気的駆動装置を介して連係していることを特徴とする請求項１又は請求項２に記載のパチンコ機。
【請求項４】
球送装置は、発射球貯留皿からの遊技球が流入する球入口と、発射装置へ遊技球を送出する球出口と、該球入口と球出口とを連通させる球供給通路とを具備するケース体を備えるものであって、
球抜口は、ケース体の内部に形成されて、球供給通路の中途部から機体前面側に連通する通路へ遊技球を流入させるものであり、
ケース体の前面側には、球抜部材の遮蔽部を挿抜可能とする収容開口が形成されており、
球抜部材は、収容開口に遮蔽部を挿入した状態で、球抜口を閉塞する位置と開放する位置とに遮蔽部を移動可能となることを特徴とする請求項１乃至請求項３のいずれかに記載のパチンコ機。
【請求項５】
球送装置のケース体の前面側に、発射球貯留皿から流出する遊技球を球入口へ案内する前後方向の連絡樋が配設され、
該連絡樋は、その上部をケース体に軸支されて、その下部をケース体に対して前後に傾動可能とするとともに、その下底面に受圧部を備えるものであり、
球抜部材は、前扉の開放に伴って連絡樋の受圧部に後方から当接して連絡樋を前方傾動させる押圧片を備えていることを特徴とする請求項４記載のパチンコ機。
【請求項６】
押圧片は上方に突出する可撓性板片からなるものであり、
前扉の閉止に伴って押圧片の上部が連絡樋の受圧部に前方から当接して該受圧部の背面側に圧入され、前扉の開放に伴って押圧片の上部が受圧部に後方から当接して連絡樋を前方傾動させることを特徴とする請求項５記載のパチンコ機。
【請求項７】
球送装置は、その一側部を内枠の前面側で軸支されて、発射装置の前面側に配置されており、前方回動することによって発射装置の前面を露出可能となっていることを特徴とする請求項１乃至請求項６のいずれかに記載のパチンコ機。
【発明の詳細な説明】
【技術分野】
【０００１】
本発明は、発射球貯留皿から流出する遊技球を発射装置へ順次送出する球送装置を内枠に配設したパチンコ機に関する。
【背景技術】
【０００２】
一般的なパチンコ機は、遊技島設備に固定される木製の外枠と、この外枠にヒンジ部材を介して開閉可能に取り付けられる前枠とを備えている。この前枠は、遊技盤を固定するための開口部や発射装置等を備える内枠を主体とする。また、内枠の前面側には、発射用の遊技球を貯留する発射球貯留皿を備え内枠前面側に開閉可能に取り付けられる前扉が設けられている。
【０００３】
また、前記内枠には、遊技盤の下方であって発射球貯留皿の背面側に遊技球を発射する発射装置が設けられる。発射装置の前面側は前扉によって覆われており、前扉の発射装置を覆う部分には前面側に発射球貯留皿が配設される。また、発射球貯留皿と発射装置の間には、発射球貯留皿から流出する遊技球を発射装置の作動に合わせて一個ずつ発射装置へ送出する球送装置が設けられる。球送装置には、発射球貯留皿から流入する遊技球を機体前面側に排出するための球抜口が設けられている。球抜口は移動可能な球抜部材によって通常は閉塞されており、球送装置に流入した遊技球は発射装置へ送出されるが、球抜部材は前扉の前面側に配設された球抜操作部材と連係しており、球抜操作部材の操作によって球抜部材を移動させると球抜口が開放し、遊技球が球送装置から機体前面側（余剰球貯留皿など）に排出されるようになっている。
【０００４】
ところで、多くのパチンコ機では、前扉の背面側に球送装置が設けられているが、近年、球送装置を内枠に配設する構成が提案されている（特許文献１及び特許文献２）。かかる構成では、前扉の開放状態で球送装置は内枠側に位置するため、球送装置のメンテナンスを迅速かつ簡便に行えるという利点がある。ここで、かかる構成では、前扉の開放時に前扉背面側の球流出路を閉塞して発射球貯留皿から遊技球が流出するのを防止する可動球止部材が設けられている。また、かかる構成では、球抜部材が内枠側に配設されており、前扉を開放した時に連係している球抜操作部材と球抜部材とが分離するようになっている。
【０００５】
【特許文献１】特開２００１−１１２９４２号公報
【特許文献２】特開２００１−１４５７６０号公報
【発明の開示】
【発明が解決しようとする課題】
【０００６】
ところで、従来のパチンコ機では、球送装置のメンテナンスを行う時は、前扉を開放することにより球送装置を露出させ、球送装置内に遊技球が残留している場合には球抜口を開放して内部の遊技球を排出させてから作業を行う。ここで、球送装置を内枠に配設した構成にあっては、上述のように前扉を開放した時に球抜操作部材と球抜部材とが分離するため、球抜操作部材を操作しても球抜口を開放させることはできず、作業者は球抜部材を直接操作することによって球抜口を開放させなければならず、作業が面倒であった。
【０００７】
本発明は、かかる現状に鑑みてなされたものであり、内枠に球送装置を備える構成にあって、前扉の開放時に球抜口を自動的に開放させ得るパチンコ機の提供を目的とする。
【課題を解決するための手段】
【０００８】
本発明は、下部に発射装置を備える内枠と、発射球貯留皿を前面に備え、内枠前面に片開き可能に枢支される前扉と、内枠に配設されて、発射球貯留皿から流入する遊技球を発射装置へ順次送出するとともに、発射球貯留皿から流入する遊技球を機体前面側へ排出するための球抜口を備える球送装置と、球送装置の球抜口を閉塞する遮蔽部を備えるとともに、前扉に設けられた球抜操作部材と連係し、球抜操作部材の操作に応じて遮蔽部が球抜口を開放する位置に変位する球抜部材とを備えるパチンコ機であって、球抜部材は、前扉に配設されて遮蔽部を前扉の背面側に露出させるものであり、前扉の閉止状態では球抜部材の遮蔽部によって球抜口を閉塞可能となり、前扉の開放状態では球抜部材の遮蔽部が球送装置から離間して球抜口が開放されることを特徴とするパチンコ機である。
【０００９】
ここで、本発明に係る「内枠」とは、遊技盤を固定する枠体であって、少なくとも発射装置を備えるものを指す。また、本発明に係る「前扉」とは、内枠の前面側に枢支されるものであって、その前面側に少なくとも発射球貯留皿が配設されたものを指す。
【００１０】
かかる構成にあっては、前扉の閉止状態では、従来構成同様に、球抜部材の遮蔽部によって球抜口が閉塞されて、球送装置の作動によって遊技球を発射装置へ送出可能となる。また、かかる前扉の閉止状態で球抜操作部材を操作すれば球抜部材が移動して球抜口が開放されることとなる。一方、前扉を開放した時には、球抜部材が前扉に配設されているため、前扉の開放に伴って球抜部材が前方に回動し、遮蔽部が球送装置から離間することにより球抜口が開放される。したがって、本発明のパチンコ機では、前扉を開放すれば、球送装置内の遊技球は自動的に球抜口から排出されることとなる。このため、作業者は、前扉を開放した後に球抜口の開放操作を行うことなく、直ちに球送装置のメンテナンスを開始できる。
【００１１】
球抜操作部材の操作に伴う球抜部材の移動態様は特に限定されないが、球抜部材は、前扉の幅方向に移動可能に保持されており、付勢手段によって遮蔽部が球抜口を閉塞する位置に付勢され、球抜操作部材の操作時には付勢手段の付勢力に抗して遮蔽部が球抜口を開放する位置へ移動するものである構成が挙げられる。ここで、付勢手段としてはバネ等の弾性材を用いることが望ましく、実施例ではコイルバネ８２がこれに該当する。
【００１２】
また、本発明は、球抜操作部材と球抜部材が機械的に連係する構成のみならず、球抜操作部材と球抜部材が、球抜操作部材の操作に応じて球抜部材を移動させる電気的駆動装置を介して連係している構成を含む。ここで電気的駆動装置とはモータやソレノイド等を指すものである。
【００１３】
具体的な構成としては、球送装置が、発射球貯留皿からの遊技球が流入する球入口と、発射装置へ遊技球を送出する球出口と、該球入口と球出口とを連通させる球供給通路とを具備するケース体を備えるものであって、球抜口は、ケース体の内部に形成されて、球供給通路の中途部から機体前面側に連通する通路へ遊技球を流入させるものであり、ケース体の前面側には、球抜部材の遮蔽部を挿抜可能とする収容開口が形成されており、球抜部材は、収容開口に遮蔽部を挿入した状態で、球抜口を閉塞する位置と開放する位置とに遮蔽部を移動可能となる構成が提案される。すなわち、かかる構成では、前扉の閉止状態においては遮蔽部が収容開口に挿入されて遮蔽部によって球抜口を閉塞可能となっており、前扉の開放状態においては遮蔽部が収容開口から抜け出ることによって球抜口が開放状態となる。
【００１４】
また、球送装置のケース体の前面側に、発射球貯留皿から流出する遊技球を球入口へ案内する前後方向の連絡樋が配設され、該連絡樋は、その上部をケース体に軸支されて、その下部をケース体に対して前後に傾動可能とするとともに、その下底面に受圧部を備えるものであり、球抜部材は、前扉の開放に伴って連絡樋の受圧部に後方から当接して連絡樋を前方傾動させる押圧片を備えている構成が提案される。かかる構成によれば、前扉を開放する際に連絡樋の下部が前方傾動することによって連絡樋の球入口方向への下り勾配が急峻となり、連絡樋内の遊技球が球入口側に強く案内されることとなる。したがって、本構成によれば、前扉の開放動作中にパチンコ機が振動しても連絡樋から遊技球が零れ落ち難い。
【００１５】
具体的には、上記構成にあって、押圧片は上方に突出する可撓性板片からなるものであり、前扉の閉止に伴って押圧片の上部が連絡樋の受圧部に前方から当接して該受圧部の背面側に圧入され、前扉の開放に伴って押圧片の上部が受圧部に後方から当接して連絡樋を前方傾動させる構成が提案される。かかる構成では、前扉の閉止動作に伴って押圧片が受圧部の背面側に配置されるため、押圧片を受圧部の背面側に配置するために面倒な操作を行う必要がない。
【００１６】
さらには、球送装置は、その一側部を内枠の前面側で軸支されて、発射装置の前面側に配置されており、前方回動することによって発射装置の前面を露出可能となっている構成が提案される。発射装置の前面側に球送装置を取り付けた従来構成にあっては、発射レールの取付角度調整といった発射装置のメンテナンスする必要が生じた場合には、球送装置を取り外す必要が生じるが、かかる構成にあっては、球送装置を前方回動させれば発射装置の前面側を露出させることができるので、発射装置のメンテナンス作業を容易に行うことができる。なお、従来構成であれば、球送装置を回動させた時に、球送装置内の遊技球が外部へ零れ落ちることが懸念されるが、本構成では前扉の開放時に球送装置から遊技球が排出されるためそのような恐れはない。
【発明の効果】
【００１７】
以上に述べたように、本発明は、内枠に球送装置が配設された構成にあって、球抜部材を前扉に配設して遮蔽部を前扉の背面側に露出させ、前扉の閉止状態では遮蔽部によって球抜口を閉塞可能となり、前扉の開放時では遮蔽部が球送装置から離間して球抜口が開放するようにしたパチンコ機であるから、前扉の閉止状態では遊技者の球抜操作部材の操作によって従来構成同様に球抜口を開放可能であるとともに、前扉を開放する際には開放動作に伴って球送装置の球抜口を開放させて球送装置の遊技球を機体前面側に排出することができる。したがって、本発明によれば、作業者は、前扉を開放後、すぐに球送装置のメンテナンスを開始することができ、従来よりもメンテナンスを迅速に開始することができる。
【００１８】
また、球送装置のケース体の前面側に連絡樋の後上部を軸支するとともに、前扉の開放に伴って、球抜部材に配設された押圧片が連絡樋の下底面設けられた受圧部に後方から当接して連絡樋の前側部分を上方に押し上げるようにした場合には、前扉を開放する時に、連絡樋内の遊技球が強く後方（球入口方向）へ案内されることとなり、前扉の開放時に連絡樋から遊技球が零れ落ち難くなる。
【００１９】
さらに、上記構成にあって、押圧片を上方に突出する可撓性板片によって構成し、前扉の閉止に伴って押圧片の上端部が連絡樋の受圧部に前方から当接して該受圧部の背面側に圧入されるようにした場合には、前扉の閉止に伴って押圧片が受圧部の背面側に自動的に配置されることとなる。
【００２０】
また、球送装置の一側部を内枠の前面側で軸支して、発射装置の前面側に配置し、球送装置を前方回動することによって発射装置の前面を露出可能とした場合には、球送装置を取り外すことなく発射装置のメンテナンスを簡単に行うことができる。
【発明を実施するための最良の形態】
【００２１】
本発明の実施形態を、以下の実施例に従って説明する。
【００２２】
図１〜３は、本発明に係るパチンコ機１の斜視図及び正面図である。このパチンコ機１は、遊技島設備に固定される木製の外枠２と、該外枠２にヒンジ部材３を介して開閉可能に取り付けられる前枠４とからなる。
【００２３】
前枠４は、ヒンジ部材３を介して外枠２に直接枢着する矩形の内枠５と、発射用の遊技球を貯留する発射球貯留皿１０を前面に備え、該内枠５の前面に開閉可能に取り付けられる前扉６と、内枠５の背面側に開閉可能に取り付けられる裏機構板７等により構成される。
【００２４】
前記内枠５は、アルミダイキャスト製の枠体からなる。この内枠５には上部から中央部にかけて矩形の開口部が形成されており、該開口部に合板製の遊技盤９が取り付けられる。図１〜３に示すように、遊技盤９の前面側は前扉６によって覆われており、前方からは中央部のみが視認可能となっている。遊技盤９の前面には金属製のガイドレール１３が取り付けられており、該ガイドレール１３によって楕円形の遊技領域１２と、発射された遊技球を遊技領域１２に案内する案内通路２０が区画されている。遊技領域１２内には遊技釘や入賞装置、液晶装置等の遊技部品が配設される。
【００２５】
図２，３に示すように、内枠５の、遊技盤９下方位置には発射装置１４が設けられている。この発射装置１４は、金属製の発射機構板１６に、遊技球を打圧する発射鎚１７や、打圧された遊技球を案内する発射レール１８、発射鎚１７を駆動する発射用ソレノイド１９等を配設してなるものである（図８参照）。また、発射装置１４の前面側には、発射球貯留皿１０から流入する遊技球を発射装置１４に順次送出する球送装置１５が配設される（図８参照）。発射装置１４や球送装置１５は、図１〜３に示すように、通常は前扉６によって前面側を覆われており、前扉６を開放することによってメンテナンス可能となる。発射装置１４と球送装置１５の詳細な構成は後述する。
【００２６】
図１に示すように、内枠５の前面下部には、内枠５の幅方向に亘る樹脂製の取付板部２３が設けられ、この取付板部２３の前面中央に余剰の遊技球を貯留する余剰球貯留皿１１が配設される。取付板部２３の、余剰球貯留皿１１を臨む位置には球放出口２４が開口しており、該球放出口２４から余剰球貯留皿１１に遊技球が流入する。また、余剰球貯留皿１１の底部には遊技球排出用の球抜孔２５が形成されており、余剰球貯留皿１１の底部に設けられた球抜スライダ２６を移動操作すると球抜孔２５が開放し、余剰球貯留皿１１の遊技球を下方へ排出可能となる。
【００２７】
また、余剰球貯留皿１１の右方には発射ハンドル２８が突設される。発射ハンドル２８の外周部には回動操作可能な発射レバー２９が設けられており、発射ハンドル２８の内部には、発射レバー２９の回動角度を検知する回動角度検知センサが配設される。回動角度検知センサは発射装置１４や球送装置１５の作動を制御する発射制御基板（図示省略）に接続される。
【００２８】
また、裏機構板７は、内枠５の背面側に取り付けられた樹脂製枠体であり、図１に示すように、その上部には、遊技島設備から供給される遊技球を貯留する球タンク３０が設けられており、球タンク３０の下方位置には、球タンク３０の遊技球を払い出すための払出装置や球通路が配設される（図示省略）。また、裏機構板７の背面側には、遊技全般を制御する主制御基板や、前記発射制御基板等の各種の基板が設けられている（図示省略）。
【００２９】
前扉６は、図２，４に示すように、矩形状の樹脂製枠体からなるものであり、その左側縁に固定されたヒンジ部材３２によって内枠５の前面側に片開き可能に枢着される。前扉６の中央部には、樹脂製の透明板３３を保持する楕円形の視認用開口部３４が形成されており、該視認用開口部３４を介して遊技盤９の遊技領域１２を前方から視認可能となっている。
【００３０】
また、図４，５に示すように、前扉６の下部前面側には樹脂製の発射球貯留皿１０が一体的に配設される。前扉６の、発射球貯留皿１０内部を臨む左側位置には、発射球貯留皿１０へ遊技球を供給するための球供給口３６が開口している。発射球貯留皿１０の内部は、前後幅の広い左側の貯留部３７と前後幅の狭い右側の整列部３８とからなり、発射球貯留皿１０の内底面は貯留部３７から整列部３８へ遊技球を流下させるように傾斜している。また、整列部３８の右端には、前扉６の厚み方向に貫通し、遊技球を整列部３８から前扉６の背面側に流出させる短尺な球流出路３９が形成される（図２，６参照）。また、発射球貯留皿１０の右上縁部には、前記球送装置１５の遊技球を余剰球貯留皿１１へ排出するための球抜操作部材４２が配設される。
【００３１】
図２，６に示すように、前扉６の背面側には、視認用開口部３４の下方部位に補強用の金属製パネル板４１が固定される。前記球流出路３９はこのパネル板４１にも貫設される。球流出路３９は、図７に示すように、前扉６の閉止状態で前記球送装置１５の正面に位置しており、球流出路３９を通って発射球貯留皿１０から流出した遊技球は球送装置１５へ流入することとなる。また、パネル板４１の前面側の、球流出路３９の近傍位置には、前記球抜操作部材４２と連係する球抜部材４３や、球流出路３９を開閉する可動球止部材４４が配設される。球抜部材４３と可動球止部材４４については後述する。
【００３２】
次に、発射装置１４について説明する。
上述のように発射装置１４は、金属製板片からなる発射機構板１６に遊技球発射用の各種部材を組み付けてユニット化したものである。この発射機構板１６は、図２，７，８に示すように、内枠５前面の、遊技盤９の下方で且つ余剰球貯留皿１１の上方位置にビス止めされる。図８に示すように、発射機構板１６の右側背面には、ロータリーソレノイドからなる発射用ソレノイド１９が固定される。この発射用ソレノイド１９の回転軸杆は、発射機構板１６を貫通して前面側に突出しており、該回転軸杆の先端に発射鎚１７が固定される。また、発射用ソレノイド１９は前記発射制御基板と電気的に接続されており、発射制御基板は発射用ソレノイド１９の通電状態を切り替えることにより発射鎚１７を往復駆動する。一方、発射機構板１６の左側前面には金属製の発射レール１８が所定角度で左上がりに固定される。発射レール１８は左上方に前記案内通路２０の入口を臨むようになっており、発射レール１８の右端部には発射鎚１７の打撃部の先端が臨むようになっている。また、発射機構板１６前面の右上部分には、発射鎚１７の回動を規制するストッパ４７が設けられる。また、発射機構板１６の、発射レールの右端上方には、発射鎚１７が臨む位置に遊技球を保持するゴム製の球保持部材４８が設けられる。また、発射機構板１６前面上部には、球送装置１５を軸支するための軸受部材４９が螺着される。
【００３３】
以下に、本発明の要部に係る構成を詳細に説明する。
【００３４】
球送装置１５は、遊技球を一個ずつ送り出す電動式の球送り機構を透明樹脂からなる箱型のケース体５１に収容してなるものである。図８，９に示すように、ケース体５１の上部中央には左右方向の支軸部５２が配設されており、該支軸部５２を発射機構板１６の前記軸受部材４９に保持されることによって、ケース体５１の下部は発射装置１４の前上方に回動可能となっている。一方、ケース体５１の底部には、後方に突出する係合端部７１と前方に突出する操作端部７２とからなる可撓性の係合部材６６が一体的に形成されており、係合部材６６の係合端部７１が発射機構板１６の下縁と係合することによって球送装置１５は発射装置１４の前面側に固定される。係合端部７１と発射機構板１６との係合は操作端部７２の押し上げ操作によって解除可能となっており、図９に示すように、係合部材６６と発射機構板１６の係合解除状態では球送装置１５が前方回動可能となり、球送装置１５を発射装置１４の前上方に退避させることによって発射装置１４の前面側を露出可能となっている。
【００３５】
ケース体５１の前面中央部には、図１０に示すように、発射球貯留皿１０からの遊技球を流入させる矩形の球入口５４が形成される。この球入口５４の直前方位置には前後方向の短尺な連絡樋６４が固着される。この連絡樋６４は、図７に示すように、前扉６の閉止状態で前記球流出路３９と接続し、発射球貯留皿１０から流出する遊技球ｘを球入口５４へ案内する。また、図１０に示すように、ケース体５１前面側には、球入口５４の右方に、可動球止部材４４を上方に押し上げる三角板状の押圧保持部材６７が配設されており、球入口５４の左方には、連絡樋６４と前記球流出路３９との位置決めに用いる円錐状の位置決め突起６８が配設される。また、球入口５４の下方位置には、横長溝状の収容開口６５が形成される。この収容開口６５は、後述の球抜口６１の前方に形成されるものであり、遊技球が通過し得ない上下幅をなすとともに、球抜部材４３の遮蔽部７０を挿抜自在に、且つ挿入状態で遮蔽部７０を左右に移動可能とする形状をなしている。
【００３６】
ケース体５１の背面側には、図１１に示すように、発射装置１４へ遊技球ｘを送出するための球出口５５が中央下部に形成されており、ケース体５１の内部には、前記球入口５４と球出口５５とを連通させる球供給通路５６が形成される。また、球供給通路５６の下流部位には機体前面側に遊技球ｘを排出するための球抜口６１が底面に開口しており、ケース体５１の内部には、この球抜口６１から遊技球を左方に流下させる球抜通路６２が形成される。球抜通路６２は、ケース体５１の背面左隅に形成された球抜用連通口６３を介して余剰球貯留皿１１と連通する内枠５の排出球誘導路４５と連通している（図１８参照）。なお、図１０，１１に示すように、通常は、ケース体５１の収容開口６５に球抜部材４３の遮蔽部７０が挿入されており、挿入された遮蔽部７０によって球抜口６１が閉塞されている。球抜部材４３については後述する。
【００３７】
ケース体５１に収容される電動式の球送り機構は、図１１に示すように、遊技球一個を収容可能な収容凹部６０を有する回動可能なテコ部材５８と、該テコ部材５８を駆動させる球送用ソレノイド５９と、球送用ソレノイド５９の可動部７５とテコ部材５８とを連係するリンク部材５７とで構成される。テコ部材５８は、球供給通路５６の球出口５５直前部分に軸支されて、収容凹部６０を球供給通路５６の上流側に向けて遊技球ｘを収容凹部６０に受入れ可能となる位置と、収容凹部６０を球出口５５側に向けて収容凹部６０の遊技球ｘを排出可能となる位置とに変位可能となっており、球送用ソレノイド５９の通電状態に応じていずれかの位置に保持されるようになっている。球送用ソレノイド５９は前記発射制御基板と電気的に接続されており、発射制御基板は球送用ソレノイド５９の通電状態を切り替えることによりテコ部材５８を回動させ、遊技球を球出口５５に送出する。具体的には、図１２に示すように、球送用ソレノイド５９の非通電状態で、テコ部材５８は収容凹部６０を球出口５５側に向ける位置に保持されており（図１２（ａ）参照）、球送用ソレノイド５９が通電状態となると収容凹部６０を球供給通路５６側に向ける位置に切り替り、球供給通路５６の遊技球ｘ一個を収容凹部６０に収容する（図１２（ｂ）参照）。そして、再び球送用ソレノイド５９が非通電状態に切り換わると、テコ部材５８は収容凹部６０を球出口５５に向ける位置に変位して、収容凹部６０の遊技球ｘが球出口５５から発射レール１８上に送出される（図１２（ｃ）参照）。なお、図１１に示すように、本実施例では、テコ部材５８上の遊技球ｘが球抜口６１の開放時に球抜口６１へ流入するようにテコ部材５８の上端部に球抜口６１側に下り傾斜する案内面が形成されている。
【００３８】
次に、球抜部材４３について説明する。
図１３に示すように、球抜部材４３は、樹脂製板片からなるものであり、前扉６内で左右に摺動可能に保持される摺動板部７７と、球抜口６１を閉塞するための水平板状の遮蔽部７０と、摺動板部７７と遮蔽部７０とを連係する連係杆部７８とからなる。この球抜部材４３は、図２，６，１４に示すように、摺動板部７７をパネル板４１の前面側で摺動可能に保持されるとともに、遮蔽部７０をパネル板４１の背面側に突出させている。また、球抜部材４３は、図１０，１１に示すように、前扉６の閉止状態において、遮蔽部７０を球送装置１５の収容開口６５に挿入し得る位置に保持される。かかる構成によって、球抜部材４３は、摺動板部７７の摺動に伴って、遮蔽部７０が球抜口６１を閉塞する閉鎖位置αと、球抜口６１を開放する球抜位置βとに移動可能となっている（図１４参照）。また、図１０に示すように、摺動板部７７の前面側には、後述のクランク部材８０と連結するための連結軸７９が形成される。
【００３９】
図１４，１５は、前扉６に配設された球抜部材４３や球抜操作部材４２の配置および連係態様を背面側から示したものである。球抜操作部材４２は、図１４に示すように、ボタン型の樹脂片であり、図中右下部を軸支されて、前扉６の前面側に露出する上端部を押し下げられると下方傾動するようになっている。また、図１４に示すように、前扉６のパネル板４１の前面側には、金属板からなる取付機構板４６が配設される。この該取付機構板４６の板面には、前記球抜操作部材４２と球抜部材４３とを連係するクランク部材８０や、前記可動球止部材４４等が取り付けられている。クランク部材８０は、図１４に示すように、長三角形状の樹脂製板片からなるものであり、球抜操作部材４２の直下位置において、短尺辺を上方に向けた姿勢で図中右上角部を軸支されて、その下端部を取付機構板４６に沿って左右に傾動するように保持される。図１４に示すように、クランク部材８０の図中左側部にはコイルバネ８２の一端が連結される。クランク部材８０は、かかるコイルバネ８２によって図中左方に付勢されて、その短尺片を球抜操作部材４２の下底面に当接させている。かかる構成によれば、球抜操作部材４２が押し下げられると、図１４（ｂ）に示すように、クランク部材８０の下端部が図中右方向に傾動し、球抜操作部材４２の押下げが止むと、クランク部材８０の下端部が図中左方に復帰して、押し下げられた球抜操作部材４２はクランク部材８０によって上方に押し上げられることとなる。
【００４０】
また、クランク部材８０の下端部には前後方向の連結孔部８１が形成されており、クランク部材８０は、該連結孔部８１を球抜部材４３の連結軸７９に外嵌させることによって、球抜部材４３と連係している。球抜部材４３は、図１４（ａ）に示すように、球抜操作部材４２の非操作状態において閉鎖位置αに位置しており、図１４（ｂ）に示すように、球抜操作部材４２が押し下げられると、クランク部材８０の傾動に従動して球抜位置βへ変位することとなる。
【００４１】
可動球止部材４４は、横長樹脂片からなるものであり、図１５に示すように、球流出路３９の上方で取付機構板４６に図中右端部を軸支されて、左端を水平方向に向けて中央下部に形成される球止舌部８４によって球流出路３９を後方から閉塞する球止位置γと、左端を上方寄りに向けて球止舌部８４を球流出路３９の上方に退避させる開放位置δとに変位可能となっている。可動球止部材４４の右側部にはコイルバネ８５が取り付けられており、可動球止部材４４は該コイルバネ８５によって球止位置γ側に付勢されている。可動球止部材４４の図中左端部には、球送装置１５の押圧保持部材６７と当接する受圧突部８６が突成されており、図１５（ａ）に示すように、前扉６の閉止状態では可動球止部材４４は受圧突部８６を押圧保持部材６７によって押し上げられることにより開放位置δに保持される。また、可動球止部材４４の図中左下部には球抜部材４３を規制するストッパ部８７が下方に突成される。可動球止部材４４は、図１５（ｂ）に示すように、球止位置γにおいて、閉鎖位置αにある球抜部材４３の、摺動板部７７の右上角部の直右脇にストッパ部８７を位置させており、これによって球抜部材４３と係合する。かかる状態では、球抜部材４３の移動方向と、可動球止部材４４の移動方向が直交しているため、球抜部材４３を球抜位置β方向（図中右方）に移動させようとするとストッパ部８７に衝突し、可動球止部材４４が左右に突っ張るようにして球抜部材４３の移動を阻止することとなる。
【００４２】
次に、球送装置１５からの遊技球の排出態様について具体的に説明する。
前扉６の閉止状態では、図１６（ａ），１７（ａ）に示すように、球抜部材４３の遮蔽部７０がケース体５１の収容開口６５に挿入されている。上述のように、通常は、球抜部材４３が閉鎖位置αに保持されており、球抜口６１が遮蔽部７０によって閉塞されている。このため、かかる状態で発射レバー２９が回動操作されると、球送装置１５の球送り機構によって遊技球が一個ずつ発射レール１８上に送出され、発射装置１４によって遊技領域１２に発射される。
【００４３】
また、前扉６の閉止状態で球抜操作部材４２が押し下げ操作されると、図１４（ｂ），１６（ｂ），１７（ｂ）に示すように、球抜部材４３が左方の球抜位置βへと変位し、遮蔽部７０が球抜口６１の左方に退避して球抜口６１が開放される。これにより、球送装置１５内の遊技球ｘは球抜口６１から球抜通路６２へ流出し、図１８に示すように、球放出口２４から余剰球貯留皿１１に排出されることとなる。また、かかる状態では球流出路３９が開放されているため、発射球貯留皿１０の遊技球ｘも球送装置１５に流入して余剰球貯留皿１１へ排出されることとなる。球抜操作部材４２の操作が終わるとクランク部材８０に結合したコイルバネ８２の付勢力によって球抜部材４３が閉鎖位置αに復帰して、球抜口６１は再び閉塞される。
【００４４】
一方、前扉６を閉止状態から開放すると、図２，１６（ｃ）に示すように、球抜部材４３が球送装置１５から離間することとなり、遮蔽部７０が収容開口６５から離脱して球抜口６１が開放される。これにより、図１７（ｃ）に示すように、球送装置１５の遊技球ｘが球抜口６１から球抜通路６２へ流出し、余剰球貯留皿１１に排出されることとなる。
【００４５】
なお、上述したように、前扉６が開放すると、図１５に示すように、開放位置δに押し上げていた可動球止部材４４は、球送装置１５の押圧保持部材６７の離間に伴いコイルバネ８５の付勢力によって球止位置γに傾動し、球流出路３９が閉塞される。これにより、前扉６の開放状態において発射球貯留皿１０からの遊技球の流出が阻止される。また、図１５（ｂ）に示すように、可動球止部材４４が球止位置γにある状態では、球抜部材４３が可動球止部材４４によって球抜位置βへの変位を阻止される。
【００４６】
また、開放状態の前扉６を閉止すると、１６（ａ）に示すように、離脱していた遮蔽部７０が収容開口６５に再び挿入される。上述のように、前扉６の開放状態においては球抜部材４３が閉鎖位置αに保持されるため、前扉６を閉止すると遮蔽部７０によって確実に球抜口６１が閉塞される。また、球止位置γは、球送装置１５の押圧保持部材６７に押し上げられて球止位置γから開放位置δに復帰することとなり、これにより発射球貯留皿１０から球送装置１５に遊技球が流入可能となる。
【００４７】
以上のように、本実施例のパチンコ機では、前扉６の閉止状態では球抜操作部材４２の操作によって球抜口６１を開放することができ、また、前扉６を開放した時には自動的に球抜口６１が開放されることとなる。すなわち、本実施例では、前扉６の開放動作が球抜口６１の開放操作を兼ねているのである。したがって、本実施例のパチンコ機１では、球送装置１５のメンテナンスを行う際に、前扉６を開放するだけで、球抜口６１の開放操作を別途行うことなく作業を開始できるという利点がある。
【００４８】
次に、上記実施例から球送装置及び球抜部材の構成を変更した変形例について説明する。
【００４９】
本変形例に係る球送装置１５ａを、上記実施例の球送装置１５と比較して説明すると、上記実施例の球送装置１５では、図１０に示すように、ケース体５１前面の球入口５４の直前方位置に前後方向の連絡樋６４が固着されており、連絡樋６４によって発射球貯留皿１０から流出する遊技球を球入口５４へ案内するようにしている。これに対して、本変形例では、図１９に示すように、連絡樋６４ａがケース体５１ａに固着されるのではなく、その下部をケース体５１ａに対して前後に傾動可能となるように保持される。具体的には、連絡樋６４ａの上部には左右方向の支軸部８９が形成されており、ケース体５１ａの球入口５４の直上位置に形成された軸受部材８８に支軸部８９を保持されることによって、その下部がケース体５１ａに対して前後に傾動可能となっている。また、連絡樋６４の下底面には、後述する押圧片９１と当接する凸状の受圧部９０が形成されている。ケース体５１ａ及び連絡樋６４ａのその他の構成は上記実施例と同じであるため説明を省略する。
【００５０】
一方、図２０に示すように、本変形例に係る球抜部材４３ａは、上記実施例の球抜部材４３（図１３参照）と比較すると、連係杆部７８の、遮蔽部７０の直前方位置に可撓性の押圧片９１が立設されていることを特徴とする。この押圧片９１は上下に細長で前後に撓み得る金属薄片からなるものである。その他の構成は上記実施例の球抜部材４３と同じであるため説明を省略する。
【００５１】
かかる構成によれば、前扉６が閉止して、遮蔽部７０が収容開口６５に挿入された状態では、図２１（ａ）に示すように、連絡樋６４ａは、その背面側をケース体５１ａの前面側に当接するとともに、その前面側を前扉６の背面側に当接しており（図示省略）、軸受部材８８から垂下した状態で傾動不能に保持されている。かかる状態では、連絡樋６４ａの内底面によって発射球貯留皿１０から球入口５４へ遊技球ｘが案内される。また、かかる状態では、球抜部材４３ａの押圧片９１は、連絡樋６４ａ下底面の受圧部９０の直前方に上端を位置させている。
【００５２】
そして、図２１（ａ）の状態から前扉６が開放されると、前扉６と連絡樋６４ａの間に隙間が生じて連絡樋６４ａが前方傾動可能となり、図２１（ｂ）に示すように、該開放動作に伴って球抜部材４３ａが前方に移動して押圧片９１の上端部が受圧部９０に後方から当接すると、連絡樋６４ａが押圧されて前方傾動することとなる。かかる状態では、図２１（ｂ）に示すように、連絡樋６４ａの下部の前方傾動によって連絡樋６４ａ内の下り勾配が急峻となり、連絡樋６４ａ内の遊技球ｘは球入口５４方向に強く案内されることとなる。なお、図２１（ｂ）に示す状態から前扉６をさらに開放すると、押圧片９１が受圧部９０の前面側に抜けて連絡樋６４ａが垂下状態に復帰する。
【００５３】
一方、開放した前扉６を閉止する際は、連絡樋６４ａは垂下した状態にあるため、図２０（ｃ）に示すように、押圧片９１の上端が受圧部に前方から当接することとなる。ここで、押圧片９１は可撓性であるため、図２０（ｃ）に示す状態から前扉６をさらに閉止すれば、図２０（ａ）に示すように、押圧片９１は受圧部９０の背面側に圧入される。
【００５４】
このように、本変形例では、前扉６を開放する際に、連絡樋６４ａが一時的に前方傾動して該連絡樋６４ａの遊技球を球入口５４へ強く案内するため、前扉６の開放動作によって振動や衝撃が生じたとしても連絡樋６４ａから遊技球が零れ落ち難いという利点がある。特に、本変形例では、連絡樋６４を前扉６開放時の機械的な係合によって実現しているため、構造が簡単であるという利点がある。さらに言えば、本変形例では、前扉６の開放動作に伴って連絡樋６４ａが自然に前方傾動し、また、前扉６を閉止する際には押圧片９１が受圧部９０の背面側に自然に復帰するため、作業者は前扉６の開閉以外の操作をする必要がない。
【００５５】
上記変形例（図１９〜２２参照）では、押圧片９１が可撓性であり、前扉６を閉止する際に押圧片９１が垂下した受圧部９０の背面側に圧入されるようになっていたが、これに限らず、軸受部材８８と支軸部８９の摩擦力を高くして、上方傾動した連絡樋６４ａが自重では垂下しないようにしてもよい。かかる構成とすれば、前扉６を閉止する時に、連絡樋６４ａは上方傾動した姿勢を維持しているため、押圧片９１が受圧部９０に衝突することなく受圧部９０の下方を通過することができる。上方傾動した姿勢の連絡樋６４ａは、押圧片９１の通過後に前扉６の背面等で押圧して垂下状態に復帰させればよい。
【００５６】
尚、本発明のパチンコ機は、上述した実施の形態に限定されるものではなく、本発明の要旨を逸脱しない範囲内において種々変更を加え得ることは勿論である。例えば、上記実施例では、球送装置は発射機構板に軸支されていたが、球送装置は内枠に直接軸支することもできる。また、上記実施例では視認用開口部３４が前扉６に設けられているが、視認用開口部３４は発射球貯留皿１０とは別に枢支してもかまわない。
【図面の簡単な説明】
【００５７】
【図１】前扉６の閉止状態のパチンコ機１の斜視図である。
【図２】前扉６の開放状態のパチンコ機１の斜視図である。
【図３】パチンコ機１の正面図である。
【図４】前扉６の正面図である。
【図５】図４中のＡ−Ａ断面図である。
【図６】前扉６の下部の背面図である。
【図７】パチンコ機１の下部を縦断して内部構造を示す説明図である。
【図８】発射装置１４及び球送装置１５を分離して示す斜視図である。
【図９】発射装置１４及び球送装置１５の側面図である。
【図１０】球送装置１５及び球抜部材４３の斜視図である。
【図１１】ケース体５１を縦断して球送装置１５の内部構造を示す正面図である。
【図１２】球送装置１５の作動を示す説明図である。
【図１３】球抜部材４３の背面側の斜視図である。
【図１４】球抜操作部材４２と球抜部材４３の連係態様を示す説明図である。
【図１５】可動球止部材４４の作動を示す説明図である。
【図１６】外枠２や前扉６等を透視して、球送装置１５と球抜部材４３の離近態様を上方から示す説明図である。
【図１７】球送装置１５からの遊技球ｘの排出態様を示す説明図である。
【図１８】パチンコ機１の下部を縦断して球送装置１５からの遊技球の排出経路を示す説明図である。
【図１９】変形例に係る球送装置１５ａの斜視図である。
【図２０】変形例に係る球抜部材４３ａの拡大斜視図である。
【図２１】前扉６を開閉する際の球抜部材４３ａと連絡樋６４ａの移動態様を示す説明図である。
【符号の説明】
【００５８】
１  パチンコ機
５  内枠
６  前扉
１０  発射球貯留皿
１４  発射装置
１５  球送装置
４２  球抜操作部材
４３  球抜部材
５１  ケース体
５４  球入口
５５  球出口
５６  球供給通路
６１  球抜口
６４，６４ａ  連絡樋
６５  収容開口
７０  遮蔽部
８２  コイルバネ（付勢手段）
９０  受圧部
９１  押圧片
ｘ  遊技球
【図１】
0004820672.tif 000002
【図２】
0004820672.tif 000003
【図３】
0004820672.tif 000004
【図４】
0004820672.tif 000005
【図５】
0004820672.tif 000006
【図６】
0004820672.tif 000007
【図７】
0004820672.tif 000008
【図８】
0004820672.tif 000009
【図９】
0004820672.tif 000010
【図１０】
0004820672.tif 000011
【図１１】
0004820672.tif 000012
【図１２】
0004820672.tif 000013
【図１３】
0004820672.tif 000014
【図１４】
0004820672.tif 000015
【図１５】
0004820672.tif 000016
【図１６】
0004820672.tif 000017
【図１７】
0004820672.tif 000018
【図１８】
0004820672.tif 000019
【図１９】
0004820672.tif 000020
【図２０】
0004820672.tif 000021
【図２１】
0004820672.tif 000022